(57)【要約】【課題】簡便に配線経路を追加すること。【解決手段】配線経路に対応させた電気部品ＥＰの電気接続対象たる配線接続体１２を有する導電性の主バスバ１０と、配線接続体１２が収容される電気接続室２１ｂ，２１ｃを有する絶縁性の電気配線ブロック２０と、配線経路を追加させる際に用いる回路追加構造３０と、を備え、回路追加構造３０は、追加配線経路に対応させた追加電気部品ＥＰｘの電気接続対象たる追加配線接続体４１が設けられた導電性の副バスバ４０と、副バスバ４０を主バスバ１０に対して電気接続させることが可能なバスバ間接続構造３２と、追加配線接続体４１の収容が可能な追加電気接続室３３と、を備え、バスバ間接続構造３２は、主バスバ１０が有し、副バスバ４０を電気接続させることが可能なバスバ間被接続体１７Ａを備えること。【選択図】図１
2020114059.tif 000002
【特許請求の範囲】
【請求項１】
配線経路に対応させた電気部品の電気接続対象たる配線接続体を有する導電性の主バスバと、
前記配線接続体が収容される電気接続室を有する絶縁性の電気配線ブロックと、
前記配線経路を追加させる際に用いる回路追加構造と、
を備え、
前記回路追加構造は、追加配線経路に対応させた追加電気部品の電気接続対象たる追加配線接続体が設けられた導電性の副バスバと、前記副バスバを前記主バスバに対して電気接続させることが可能なバスバ間接続構造と、前記追加配線接続体の収容が可能な追加電気接続室と、を備え、
前記バスバ間接続構造は、前記主バスバが有し、前記副バスバを電気接続させることが可能なバスバ間被接続体を備えることを特徴とした電気接続構造体。
【請求項２】
前記追加電気接続室は、前記電気配線ブロックに設けることを特徴とした請求項１に記載の電気接続構造体。
【請求項３】
前記回路追加構造は、前記追加電気接続室を有する絶縁性の追加電気配線ブロックを備えることを特徴とした請求項１又は２に記載の電気接続構造体。
【請求項４】
前記追加電気接続室は、前記副バスバが用いられないときに、電線の端末に物理的且つ電気的に接続された端子金具を収容し得るものとして形成することを特徴とした請求項１，２又は３に記載の電気接続構造体。
【請求項５】
配線経路に対応させた電気部品の電気接続対象たる配線接続体を有する導電性の主バスバと、
前記配線接続体が収容される電気接続室を有する絶縁性の電気配線ブロックと、
前記電気配線ブロックが収容される絶縁性の筐体と、
前記配線経路を追加させる際に用いる回路追加構造と、
を備え、
前記回路追加構造は、追加配線経路に対応させた追加電気部品の電気接続対象たる追加配線接続体が設けられた導電性の副バスバと、前記副バスバを前記主バスバに対して電気接続させることが可能なバスバ間接続構造と、前記追加配線接続体の収容が可能な追加電気接続室と、を備え、
前記バスバ間接続構造は、前記主バスバが有し、前記副バスバを電気接続させることが可能なバスバ間被接続体を備えることを特徴とした電気接続箱。
【請求項６】
配線経路に対応させた電気部品の電気接続対象たる配線接続体を有する導電性の主バスバと、
前記配線接続体が収容される電気接続室を有する絶縁性の筐体と、
前記配線経路を追加させる際に用いる回路追加構造と、
を備え、
前記回路追加構造は、追加配線経路に対応させた追加電気部品の電気接続対象たる追加配線接続体が設けられた導電性の副バスバと、前記副バスバを前記主バスバに対して電気接続させることが可能なバスバ間接続構造と、前記追加配線接続体の収容が可能な追加電気接続室と、を備え、
前記バスバ間接続構造は、前記主バスバが有し、前記副バスバを電気接続させることが可能なバスバ間被接続体を備えることを特徴とした電気接続箱。
【請求項７】
配線経路に対応させた電気部品の電気接続対象たる配線接続体を有する導電性の主バスバと、
前記主バスバに対して電気接続される第１電線と、
前記電気部品に対して電気接続される第２電線と、
前記配線接続体が収容される電気接続室を有する絶縁性の電気配線ブロックと、
前記配線経路を追加させる際に用いる回路追加構造と、
を備え、
前記回路追加構造は、追加配線経路に対応させた追加電気部品の電気接続対象たる追加配線接続体が設けられた導電性の副バスバと、前記副バスバを前記主バスバに対して電気接続させることが可能なバスバ間接続構造と、前記追加配線接続体の収容が可能な追加電気接続室と、を備え、
前記バスバ間接続構造は、前記主バスバが有し、前記副バスバを電気接続させることが可能なバスバ間被接続体を備えることを特徴としたワイヤハーネス。
【発明の詳細な説明】
【技術分野】
【０００１】
本発明は、電気接続構造体、電気接続箱及びワイヤハーネスに関する。
【背景技術】
【０００２】
従来、少なくとも二者間の電気接続対象物同士を電気接続させる電気接続構造体や電気接続箱が知られている（下記の特許文献１）。その電気接続構造体や電気接続箱においては、１つ又は複数の配線経路を有する導電性のバスバがバスバ収容室に収容されており、そのバスバを介して電気接続対象物同士を電気接続させる。電気接続構造体や電気接続箱は、それぞれの電気接続対象物に電気接続させる電線を備えることによって、ワイヤハーネスを構成する。
【先行技術文献】
【特許文献】
【０００３】
【特許文献１】特開平９−２５２５１８号公報
【発明の概要】
【発明が解決しようとする課題】
【０００４】
ところで、従来の電気接続構造体や電気接続箱においては、電気接続対象物を増やすなどする際に、例えば、元の配線経路に増加用の電気接続対象物の配線経路が追加された新たなバスバを作り直さなければならない。このため、従来の電気接続構造体や電気接続箱は、簡便な配線経路の追加が行えるとは云い難い。
【０００５】
そこで、本発明は、簡便に配線経路を追加することが可能な電気接続構造体、電気接続箱及びワイヤハーネスを提供することを、その目的とする。
【課題を解決するための手段】
【０００６】
上記目的を達成する為、本発明に係る電気接続構造体は、配線経路に対応させた電気部品の電気接続対象たる配線接続体を有する導電性の主バスバと、前記配線接続体が収容される電気接続室を有する絶縁性の電気配線ブロックと、前記配線経路を追加させる際に用いる回路追加構造と、を備え、前記回路追加構造は、追加配線経路に対応させた追加電気部品の電気接続対象たる追加配線接続体が設けられた導電性の副バスバと、前記副バスバを前記主バスバに対して電気接続させることが可能なバスバ間接続構造と、前記追加配線接続体の収容が可能な追加電気接続室と、を備え、前記バスバ間接続構造は、前記主バスバが有し、前記副バスバを電気接続させることが可能なバスバ間被接続体を備えることを特徴としている。
【０００７】
ここで、前記追加電気接続室は、前記電気配線ブロックに設けることが望ましい。
【０００８】
また、前記回路追加構造は、前記追加電気接続室を有する絶縁性の追加電気配線ブロックを備えることが望ましい。
【０００９】
また、前記追加電気接続室は、前記副バスバが用いられないときに、電線の端末に物理的且つ電気的に接続された端子金具を収容し得るものとして形成することが望ましい。
【００１０】
また、上記目的を達成する為、本発明に係る電気接続箱は、配線経路に対応させた電気部品の電気接続対象たる配線接続体を有する導電性の主バスバと、前記配線接続体が収容される電気接続室を有する絶縁性の電気配線ブロックと、前記電気配線ブロックが収容される絶縁性の筐体と、前記配線経路を追加させる際に用いる回路追加構造と、を備え、前記回路追加構造は、追加配線経路に対応させた追加電気部品の電気接続対象たる追加配線接続体が設けられた導電性の副バスバと、前記副バスバを前記主バスバに対して電気接続させることが可能なバスバ間接続構造と、前記追加配線接続体の収容が可能な追加電気接続室と、を備え、前記バスバ間接続構造は、前記主バスバが有し、前記副バスバを電気接続させることが可能なバスバ間被接続体を備えることを特徴としている。
【００１１】
また、上記目的を達成する為、本発明に係る電気接続箱は、配線経路に対応させた電気部品の電気接続対象たる配線接続体を有する導電性の主バスバと、前記配線接続体が収容される電気接続室を有する絶縁性の筐体と、前記配線経路を追加させる際に用いる回路追加構造と、を備え、前記回路追加構造は、追加配線経路に対応させた追加電気部品の電気接続対象たる追加配線接続体が設けられた導電性の副バスバと、前記副バスバを前記主バスバに対して電気接続させることが可能なバスバ間接続構造と、前記追加配線接続体の収容が可能な追加電気接続室と、を備え、前記バスバ間接続構造は、前記主バスバが有し、前記副バスバを電気接続させることが可能なバスバ間被接続体を備えることを特徴としている。
【００１２】
また、上記目的を達成する為、本発明に係るワイヤハーネスは、配線経路に対応させた電気部品の電気接続対象たる配線接続体を有する導電性の主バスバと、前記主バスバに対して電気接続される第１電線と、前記電気部品に対して電気接続される第２電線と、前記配線接続体が収容される電気接続室を有する絶縁性の電気配線ブロックと、前記配線経路を追加させる際に用いる回路追加構造と、を備え、前記回路追加構造は、追加配線経路に対応させた追加電気部品の電気接続対象たる追加配線接続体が設けられた導電性の副バスバと、前記副バスバを前記主バスバに対して電気接続させることが可能なバスバ間接続構造と、前記追加配線接続体の収容が可能な追加電気接続室と、を備え、前記バスバ間接続構造は、前記主バスバが有し、前記副バスバを電気接続させることが可能なバスバ間被接続体を備えることを特徴としている。
【発明の効果】
【００１３】
本発明に係る電気接続構造体は、主バスバのみの配線経路で電源側と電気部品とを電気接続させることもできれば、主バスバの配線経路と副バスバの追加配線経路とで電源側と電気部品とを電気接続させることもできる。このため、この電気接続構造体は、例えば、既存の主バスバに副バスバを接続し、その主バスバを電気配線ブロックに収容するという簡便な作業で、追加電気部品の配線経路を追加することができる。このように、本発明に係る電気接続構造体は、簡便に配線経路を追加することができるので、多様な配線経路のものを安価に構築することができる。また、本発明に係る電気接続箱及びワイヤハーネスは、その電気接続構造体を包含するものであり、この電気接続構造体によって得られるものと同様の効果を奏することができる。
【図面の簡単な説明】
【００１４】
【図１】図１は、実施形態の電気接続構造体を示す分解斜視図である。
【図２】図２は、実施形態の電気接続構造体を別角度から見た分解斜視図である。
【図３】図３は、実施形態の電気接続構造体、電気接続箱及びワイヤハーネスを示す斜視図である。
【図４】図４は、主バスバを示す斜視図である。
【図５】図５は、第１回路保護部品に対しての電気接続状態を示す斜視図である。
【図６】図６は、第２回路保護部品に対しての電気接続状態を示す斜視図である。
【図７】図７は、電気配線ブロックの下面図である。
【図８】図８は、電気配線ブロックに対する主バスバと副バスバの取付状態を示す下面図である。
【図９】図９は、第１副バスバを示す斜視図である。
【図１０】図１０は、第２副バスバを示す斜視図である。
【図１１】図１１は、主バスバに対する副バスバの取付状態を示す斜視図である。
【図１２】図１２は、電気接続構造体の使用例の１つを示す斜視図である。
【図１３】図１３は、電気接続構造体の使用例の１つを示す斜視図である。
【図１４】図１４は、電気接続構造体の使用例の１つを示す斜視図である。
【図１５】図１５は、図７のＸ１−Ｘ１線断面の第１追加電気接続室に追加配線接続体が収容された状態を示す図である。
【図１６】図１６は、図７のＸ１−Ｘ１線断面の第１追加電気接続室に端子金具が収容された状態を示す図である。
【図１７】図１７は、図７のＸ２−Ｘ２線断面の第２追加電気接続室に追加配線接続体が収容された状態を示す図である。
【図１８】図１８は、図７のＸ２−Ｘ２線断面の第２追加電気接続室に端子金具が収容された状態を示す図である。
【図１９】図１９は、変形例１の電気接続構造体を示す分解斜視図である。
【図２０】図２０は、変形例１の電気接続構造体を別角度から見た分解斜視図である。
【図２１】図２１は、変形例１の電気接続構造体を示す斜視図である。
【図２２】図２２は、変形例１の主バスバと副バスバを示す分解斜視図である。
【図２３】図２３は、変形例１の電気配線ブロックと追加電気配線ブロックの下面図である。
【図２４】図２４は、変形例１の電気配線ブロックと追加電気配線ブロックに対する主バスバと副バスバの取付状態を示す下面図である。
【図２５】図２５は、変形例１の追加電気配線ブロックとバスバの分解斜視図である。
【図２６】図２６は、変形例１の電気接続構造体の使用例の１つを示す斜視図である。
【図２７】図２７は、変形例１の電気接続構造体の使用例の１つを示す斜視図である。
【図２８】図２８は、変形例１の電気接続構造体の使用例の１つを示す斜視図である。
【図２９】図２９は、変形例２の電気接続構造体を示す分解斜視図である。
【図３０】図３０は、変形例２の電気接続構造体を示す斜視図である。
【図３１】図３１は、変形例２の第１副バスバと第２副バスバと接続バスバを示す分解斜視図である。
【図３２】図３２は、変形例２の第１副バスバと第２副バスバと接続バスバの取付状態を示す斜視図である。
【図３３】図３３は、変形例２の第１副バスバと第２副バスバと接続バスバの取付状態を別角度から見た斜視図である。
【図３４】図３４は、変形例２のカバーについて説明する斜視図である。
【図３５】図３５は、変形例２のカバーを別角度から見た斜視図である。
【図３６】図３６は、変形例３の電気接続構造体を示す分解斜視図である。
【図３７】図３７は、変形例３の電気接続構造体を別角度から見た分解斜視図である。
【図３８】図３８は、変形例３の電気接続構造体を示す斜視図である。
【図３９】図３９は、変形例３の主バスバと副バスバと接続バスバを示す分解斜視図である。
【図４０】図４０は、変形例３の主バスバと副バスバと接続バスバの取付状態を示す斜視図である。
【図４１】図４１は、変形例３の電気接続構造体の使用例の１つを示す斜視図である。
【図４２】図４２は、変形例３における電気接続構造体の変形形態の１つを示す分解斜視図である。
【図４３】図４３は、変形例３における電気接続構造体の変形形態の使用例の１つを示す斜視図である。
【図４４】図４４は、変形例３における副電気配線ブロックの変形形態を示す斜視図である。
【図４５】図４５は、変形例３における電気接続構造体の変形形態の１つを示す分解斜視図である。
【図４６】図４６は、変形例３における電気接続構造体の変形形態の使用例の１つを示す斜視図である。
【図４７】図４７は、変形例３における副電気配線ブロックの変形形態を示す斜視図である。
【図４８】図４８は、変形例３における電気接続構造体の変形形態の１つを示す分解斜視図である。
【図４９】図４９は、変形例３における電気接続構造体の変形形態の使用例の１つを示す斜視図である。
【図５０】図５０は、変形例３における副電気配線ブロックの変形形態を示す斜視図である。
【発明を実施するための形態】
【００１５】
本発明に係る電気接続構造体、電気接続箱及びワイヤハーネスは、配線経路に対応させた電気部品の電気接続対象たる配線接続体を有する導電性の主バスバと、その配線接続体が収容される電気接続室と、配線経路を追加させる際に用いる回路追加構造と、を備える。この電気接続構造体、電気接続箱及びワイヤハーネスにおいて、回路追加構造は、追加配線経路に対応させた追加電気部品の電気接続対象たる追加配線接続体が設けられた導電性の副バスバと、副バスバを主バスバに対して電気接続させることが可能なバスバ間接続構造と、追加配線接続体の収容が可能な追加電気接続室と、を備えるものとして構成する。そして、そのバスバ間接続構造は、主バスバが有し、副バスバ側を電気接続させることが可能なバスバ間被接続体を備えるものとして構成する。本発明に係る電気接続構造体、電気接続箱及びワイヤハーネスは、このように構成することによって、簡便に配線経路を追加することができる。
【００１６】
以下に、本発明に係る電気接続構造体、電気接続箱及びワイヤハーネスの実施形態を図面に基づいて詳細に説明する。尚、この実施形態によりこの発明が限定されるものではない。
【００１７】
［実施形態］
本発明に係る電気接続構造体、電気接続箱及びワイヤハーネスの実施形態の１つを図１から図１８に基づいて説明する。
【００１８】
図１から図３の符号１は、本実施形態の電気接続構造体を示す。この電気接続構造体１は、少なくとも二者間の電気接続対象物同士を電気接続させるための構造体であり、その二者間を繋ぐ１つ又は複数の配線経路を有している。例えば、この電気接続構造体１は、電源（一方の電気接続対象物）と電気部品ＥＰ（他方の電気接続対象物）とを繋ぐ配線経路を有しており、その配線経路を介して電源と電気部品とを電気接続させる。ここで、電気部品ＥＰとは、例えば、ヒューズ等の回路保護部品（第１及び第２の回路保護部品ＥＰ１，ＥＰ２）、リレー、端子金具、コネクタなどのことを指している。本実施形態では、回路基板、電子制御ユニット（いわゆるＥＣＵ）等の電子機器についても、電気部品ＥＰの一形態として考える。
【００１９】
この電気接続構造体１は、導電性のバスバ（以下、「主バスバ」という。）１０を備えており、この主バスバ１０によって配線経路が形成されている（図１及び図２）。主バスバ１０は、金属等の導電性材料で成形される。この例示では、銅板等の金属板を母材にして板状にプレス成形されている。
【００２０】
この主バスバ１０は、電源（図示略）側に電気接続される１つの入力系統と、電気部品ＥＰに電気接続される１つ又は複数の出力系統と、を有している。この主バスバ１０においては、１つの入力系統と１つの出力系統との間での通電経路が１つの配線経路となり、出力系統が１つの場合、１つの配線経路が形成され、出力系統が複数の場合、その出力系統毎の複数の配線経路が形成される。主バスバ１０は、電源側に電気接続される電源接続体１１と、配線経路に対応させた電気部品ＥＰの電気接続対象たる配線接続体１２と、を有する（図１、図２及び図４）。この例示の主バスバ１０は、複数の配線接続体１２を有している。
【００２１】
この例示の電源接続体１１は、雄タブ端子形状に形成され、雌端子（図示略）に嵌入接続される。その雌端子は、第１電線Ｗｅ１（図３）の端末に物理的且つ電気的に接続されている。電源接続体１１は、その雌端子を介して第１電線Ｗｅ１に物理的且つ電気的に接続されており、この雌端子と第１電線Ｗｅ１とを介して電源側に電気接続される。
【００２２】
配線接続体１２は、端子形状に形成される。この例示の主バスバ１０は、配線接続体１２として、第１回路保護部品ＥＰ１に電気接続させる複数の第１配線接続体１２Ａと、第２回路保護部品ＥＰ２に電気接続させる１つの第２配線接続体１２Ｂと、を有する（図１、図２及び図４）。第１配線接続体１２Ａは、音叉端子形状に形成され、第１回路保護部品ＥＰ１における一方の雄タブ端子形状の端子接続部ＥＰ１ａを嵌入口から嵌入接続させる（図５）。第２配線接続体１２Ｂは、雄タブ端子形状に形成され、第２回路保護部品ＥＰ２における一方の雌端子形状の端子接続部（図示略）に嵌入接続される（図６）。
【００２３】
尚、第１回路保護部品ＥＰ１における他方の雄タブ端子形状の端子接続部ＥＰ１ｂは、第２電線Ｗｅ２の端末に物理的且つ電気的に接続された雌端子Ｔ１に嵌入接続される（図５）。この端子接続部ＥＰ１ｂは、その雌端子Ｔ１を介して第２電線Ｗｅ２に物理的且つ電気的に接続されており、この雌端子Ｔ１と第２電線Ｗｅ２とを介して例えば負荷（アクチュエータ等の電気機器）に電気接続される。また、第２回路保護部品ＥＰ２における他方の雌端子形状の端子接続部（図示略）には、第２電線Ｗｅ２の端末に物理的且つ電気的に接続された雄端子Ｔ２が嵌入接続される（図６）。この端子接続部は、その雄端子Ｔ２を介して第２電線Ｗｅ２に物理的且つ電気的に接続されており、この雄端子Ｔ２と第２電線Ｗｅ２とを介して例えば負荷に電気接続される。
【００２４】
この例示の主バスバ１０は、同一平面上で略等間隔に並べられ且つ嵌入口を同じ向きに向けた複数の第１配線接続体１２Ａの組み合わせを２組有しており、それぞれの組み合わせが間隔を空けて対向配置されている。一方の組み合わせにおいては、それぞれの第１配線接続体１２Ａと同一平面上に、それぞれの第１配線接続体１２Ａの嵌入口と同じ向きに先端部（第２回路保護部品ＥＰ２の端子接続部への嵌入起点側の端部）を向けて第２配線接続体１２Ｂが配置されている。
【００２５】
この主バスバ１０は、一方の組み合わせにおける複数の第１配線接続体１２Ａと第２配線接続体１２Ｂを同一平面上で連結させる矩形の平板状の第１連結体１３と、他方の組み合わせにおける複数の第１配線接続体１２Ａを同一平面上で連結させる矩形の平板状の第２連結体１４と、を有する（図１、図２及び図４）。一方の組み合わせにおいては、それぞれの第１配線接続体１２Ａにおける嵌入口とは逆側の端部と第２配線接続体１２Ｂにおける先端部とは逆側の端部を第１連結体１３の第１辺部１３ａに連結させる（図４）。他方の組み合わせにおいては、それぞれの第１配線接続体１２Ａにおける嵌入口とは逆側の端部を第２連結体１４の第１辺部１４ａに連結させる（図４）。
【００２６】
この主バスバ１０においては、第１連結体１３の第２辺部１３ｂ（第１辺部１３ａとは逆側の辺部）側と第２連結体１４の第２辺部１４ｂ（第１辺部１４ａとは逆側の辺部）側とを矩形の平板状の第３連結体１５で連結させる（図４）。但し、この例示の第２連結体１４は、後述する副バスバ３１を取り付けるために、第１辺部１４ａと第２辺部１４ｂとの間隔を第１連結体１３における第１辺部１３ａと第２辺部１３ｂとの間隔よりも狭めている。そこで、この主バスバ１０においては、その狭めた分を補う大きさの矩形の平板状の突出体１６を第２連結体１４の第２辺部１４ｂと第３連結体１５との間に介在させている（図４）。その突出体１６は、第２連結体１４と同一平面上で第２辺部１４ｂの一部から突出させている。
【００２７】
電気接続構造体１は、この主バスバ１０が収容され且つ保持される絶縁性の電気配線ブロック２０を備える（図１から図３、図７及び図８）。電気配線ブロック２０は、合成樹脂等の絶縁性材料で成形される。
【００２８】
電気配線ブロック２０は、主バスバ１０が収容され且つ保持されるバスバ収容室（主バスバ収容室）２１（図２、図７及び図８）と、第１回路保護部品ＥＰ１が収容され且つ保持される第１回路保護部品ＥＰ１毎の第１電気部品収容室２２（図１）と、第２回路保護部品ＥＰ２が収容され且つ保持される第２回路保護部品ＥＰ２毎の第２電気部品収容室２３（図１）と、を有する。
【００２９】
バスバ収容室２１には、電源接続体１１を収容させる電源接続室２１ａが形成されている（図２、図７及び図８）。その電源接続室２１ａにおいては、挿入された雌端子に対して電源接続体１１が嵌入接続されている。
【００３０】
また、このバスバ収容室２１には、第１配線接続体１２Ａを収容させる第１配線接続体１２Ａ毎の第１電気接続室２１ｂ（図２、図７及び図８）と、第２配線接続体１２Ｂを収容させる第２電気接続室２１ｃ（図７及び図８）と、が形成されている。第１電気接続室２１ｂにおいては、第１電気部品収容室２２に収容された第１回路保護部品ＥＰ１の端子接続部ＥＰ１ａが挿入され、その挿入された端子接続部ＥＰ１ａが第１配線接続体１２Ａに嵌入接続される。一方、第２電気接続室２１ｃは、バスバ収容室２１と第２電気部品収容室２３の一部分であり、このバスバ収容室２１と第２電気部品収容室２３とで共用している部屋として設けられている。よって、この第２電気接続室２１ｃにおいては、第２回路保護部品ＥＰ２が第２電気部品収容室２３に収容されることによって、この第２回路保護部品ＥＰ２の端子接続部に対して第２配線接続体１２Ｂが嵌入接続される。
【００３１】
ここで、この電気接続構造体１は、その主バスバ１０で形成されている配線経路を追加させる際に用いる回路追加構造３０を備える（図１、図２、図４及び図７から図１１）。その回路追加構造３０は、追加配線経路に対応させた追加電気部品ＥＰｘの配線経路を追加させる際に、導電性のバスバ（以下、「副バスバ」という。）３１を用いる（図１、図２及び図８から図１１）。また、この回路追加構造３０は、その副バスバ３１を主バスバ１０に対して物理的且つ電気的に接続させることが可能なバスバ間接続構造３２を備える（図１、図２、図４及び図１１）。また、この回路追加構造３０は、副バスバ３１の追加配線接続体（後述する追加配線接続体４１，５１）の収容が可能な追加電気接続室３３を備える（図１、図２、図７及び図８）。
【００３２】
副バスバ３１は、金属等の導電性材料で成形される。この例示では、銅板等の金属板を母材にして板状にプレス成形されている。この例示の回路追加構造３０は、追加電気部品ＥＰｘとして、第１回路保護部品ＥＰ１と第２回路保護部品ＥＰ２の内の少なくとも一方を追加させることができる。よって、この例示の回路追加構造３０は、副バスバ３１として、第１回路保護部品ＥＰ１の配線経路を追加させるための第１副バスバ４０と、第２回路保護部品ＥＰ２の配線経路を追加させるための第２副バスバ５０と、を備えている（図１、図２、図８及び図１１）。
【００３３】
第１副バスバ４０には、追加配線経路に対応させた第１回路保護部品ＥＰ１の電気接続対象たる追加配線接続体４１が設けられる（図１、図２、図９及び図１１）。第１副バスバ４０は、１つ又は複数の追加配線接続体４１を有する。追加配線接続体４１は、第１配線接続体１２Ａと同じように、音叉端子形状に形成されている。この例示の第１副バスバ４０は、同一平面上で略等間隔に並べられ且つ嵌入口を同じ向きに向けた複数の追加配線接続体４１を有している。
【００３４】
第２副バスバ５０には、追加配線経路に対応させた第２回路保護部品ＥＰ２の電気接続対象たる追加配線接続体５１が設けられる（図１、図２、図１０及び図１１）。第２副バスバ５０は、１つ又は複数の追加配線接続体５１を有する。追加配線接続体５１は、第２配線接続体１２Ｂと同じように、雄タブ端子形状に形成されている。この例示の第２副バスバ５０は、１つの追加配線接続体５１を有している。
【００３５】
バスバ間接続構造３２は、主バスバ１０と副バスバ３１との間に設ける。このバスバ間接続構造３２は、下記の具体例に限らず、例えば、螺子止め構造や溶接構造等の別構造のものを用いてもよい。本実施形態のバスバ間接続構造３２は、主バスバ１０が有し、副バスバ３１を物理的且つ電気的に接続させることが可能なバスバ間被接続体（後述するバスバ間被接続体１７Ａ，１７Ｂ）と、副バスバ３１が有し、主バスバ１０のバスバ間被接続体に物理的且つ電気的に接続させることが可能なバスバ間接続体（後述するバスバ間接続体４２，５２）と、を備える。
【００３６】
この例示の主バスバ１０は、第２連結体１４をバスバ間被接続体として利用する。ここでは、第２連結体１４において、突出体１６を設けず、かつ、第３連結体１５に対して第１配線接続体１２Ａ側にオフセットさせている部分をバスバ間被接続体として利用する。この例示の主バスバ１０は、そのバスバ間被接続体として、第１副バスバ４０を物理的且つ電気的に接続させることが可能な第１バスバ間被接続体１７Ａと、第２副バスバ５０を物理的且つ電気的に接続させることが可能な第２バスバ間被接続体１７Ｂと、を有している（図１、図２、図４及び図１１）。ここでは、突出体１６を間に挟んで第１副バスバ４０と第２副バスバ５０とが取り付けられるように、第１バスバ間被接続体１７Ａと第２バスバ間被接続体１７Ｂとが配置されている。
【００３７】
第１副バスバ４０は、第１バスバ間被接続体１７Ａに物理的且つ電気的に接続させるバスバ間接続体４２と、このバスバ間接続体４２をそれぞれの追加配線接続体４１に連結させる連結体４３と、を有する（図１、図２、図９及び図１１）。この第１副バスバ４０においては、連結体４３がクランク形状に形成されており、一端側の矩形の平板部４３ａにそれぞれの追加配線接続体４１が連結され、他端側の矩形の平板部４３ｂにバスバ間接続体４２が連結されている（図９）。
【００３８】
バスバ間接続体４２は、第１から第３の押圧部４２ａ−４２ｃを有しており（図９）、その第１から第３の押圧部４２ａ−４２ｃで第１バスバ間被接続体１７Ａを挟み込むことによって、その第１バスバ間被接続体１７Ａに連結させる。第１から第３の押圧部４２ａ−４２ｃは、互いに間隔を空けて一列に並べられている。このバスバ間接続体４２においては、第１及び第２の押圧部４２ａ，４２ｂが第３押圧部４２ｃを間に挟んで両端に配置されている。第１及び第２の押圧部４２ａ，４２ｂは、他方の平板部４３ｂと同一平面上で矩形の平板状の片体として形成され、第１バスバ間被接続体１７Ａの一方の平面に面接触状態で対向配置させる。一方、第３押圧部４２ｃは、他方の平板部４３ｂに対して第１バスバ間被接続体１７Ａの板厚よりも小さくオフセットさせた矩形の平板状の片体４２ｃ１（図９）を第１バスバ間被接続体１７Ａの他方の平面に対向配置させるべく、クランク型の片体状に形成されている。この第３押圧部４２ｃは、可撓性を有する。このバスバ間接続体４２は、第３押圧部４２ｃが自らの撓みに伴う反力を第１バスバ間被接続体１７Ａの他方の平面に作用させることによって、第１及び第２の押圧部４２ａ，４２ｂと第３押圧部４２ｃとで第１バスバ間被接続体１７Ａを挟持する。
【００３９】
この第１副バスバ４０は、第１バスバ間被接続体１７Ａに物理的且つ電気的に接続させることによって、主バスバ１０の電源接続体１１と追加配線接続体４１との間に追加配線経路を形成する。
【００４０】
第２副バスバ５０は、第２バスバ間被接続体１７Ｂに物理的且つ電気的に接続させるバスバ間接続体５２と、このバスバ間接続体５２を追加配線接続体５１に連結させる連結体５３と、を有する（図１、図２、図１０及び図１１）。この第２副バスバ５０においては、連結体５３が矩形の平板状に形成されており、この連結体５３の１つの辺部に追加配線接続体５１とバスバ間接続体５２とが間隔を空けて連結されている。バスバ間接続体５２は、先に示したバスバ間接続体４２と同等の形状にものとして形成する。よって、このバスバ間接続体５２は、第１から第３の押圧部４２ａ−４２ｃと同等の形状で且つ同等の機能の第１から第３の押圧部５２ａ−５２ｃを有している（図１０）。第３押圧部５２ｃは、連結体５３に対して第２バスバ間被接続体１７Ｂの板厚よりも小さくオフセットさせ、かつ、第２バスバ間被接続体１７Ｂの他方の平面に対向配置させる矩形の平板状の片体５２ｃ１を有する（図１０）。このバスバ間接続体５２は、第３押圧部５２ｃが自らの撓みに伴う反力を第２バスバ間被接続体１７Ｂの他方の平面に作用させることによって、第１及び第２の押圧部５２ａ，５２ｂと第３押圧部５２ｃとで第２バスバ間被接続体１７Ｂを挟持する。
【００４１】
この第２副バスバ５０は、第２バスバ間被接続体１７Ｂに物理的且つ電気的に接続させることによって、主バスバ１０の電源接続体１１と追加配線接続体５１との間に追加配線経路を形成する。
【００４２】
本実施形態の電気接続構造体１においては、この第１副バスバ４０と第２副バスバ５０を主バスバ１０と同じ電気配線ブロック２０に収容させ且つ保持させる。よって、追加電気接続室３３は、電気配線ブロック２０に設ける。この例示では、追加電気接続室３３として、追加配線接続体４１の収容が可能な追加配線接続体４１毎の第１追加電気接続室３３Ａと、追加配線接続体５１の収容が可能な第２追加電気接続室３３Ｂと、が電気配線ブロック２０に設けられている（図１、図２、図７及び図８）。
【００４３】
本実施形態の電気配線ブロック２０は、第１副バスバ４０が収容され且つ保持される副バスバ収容室（以下、「第１副バスバ収容室」という。）２４Ａと、第２副バスバ５０が収容され且つ保持される副バスバ収容室（以下、「第２副バスバ収容室」という。）２４Ｂと、を有する（図２、図７及び図８）。更に、本実施形態の電気配線ブロック２０は、追加配線経路に対応させた第１回路保護部品ＥＰ１が収容され且つ保持される第１回路保護部品ＥＰ１毎の第１追加電気部品収容室２５と、第２回路保護部品ＥＰ２が収容され且つ保持される第２回路保護部品ＥＰ２毎の第２追加電気部品収容室２６と、を有する（図１）。
【００４４】
第１追加電気接続室３３Ａは、第１副バスバ収容室２４Ａに形成されている。この第１追加電気接続室３３Ａにおいては、第１追加電気部品収容室２５に収容された第１回路保護部品ＥＰ１の端子接続部ＥＰ１ａが挿入され、その挿入された端子接続部ＥＰ１ａが追加配線接続体４１に嵌入接続される。一方、第２追加電気接続室３３Ｂは、第２副バスバ収容室２４Ｂと第２追加電気部品収容室２６の一部分であり、この第２副バスバ収容室２４Ｂと第２追加電気部品収容室２６とで共用している部屋として設けられている。よって、この第２追加電気接続室３３Ｂにおいては、第２回路保護部品ＥＰ２が第２追加電気部品収容室２６に収容されることによって、この第２回路保護部品ＥＰ２の端子接続部に対して追加配線接続体５１が嵌入接続される。
【００４５】
以上示した電気接続構造体１は、主バスバ１０のみの配線経路で電源側と電気部品ＥＰとを電気接続させることもできれば（図１２）、主バスバ１０の配線経路と第１副バスバ４０及び第２副バスバ５０の内の少なくとも一方の追加配線経路とで電源側と電気部品ＥＰとを電気接続させることもできる。例えば、この電気接続構造体１は、第１回路保護部品ＥＰ１の配線経路を主バスバ１０に追加したい場合（図１３）、主バスバ１０と第１副バスバ４０とを接続して電気配線ブロック２０に収容するだけの簡便な作業で、第１回路保護部品ＥＰ１の配線経路を追加することができる。また、この電気接続構造体１は、第２回路保護部品ＥＰ２の配線経路を主バスバ１０に追加したい場合（図１４）、主バスバ１０と第２副バスバ５０とを接続して電気配線ブロック２０に収容するだけの簡便な作業で、第２回路保護部品ＥＰ２の配線経路を追加することができる。また、この電気接続構造体１は、第１回路保護部品ＥＰ１と第２回路保護部品ＥＰ２の配線経路を主バスバ１０に追加したい場合（図３）、主バスバ１０と第１副バスバ４０と第２副バスバ５０とを接続して電気配線ブロック２０に収容するだけの簡便な作業で、第１回路保護部品ＥＰ１と第２回路保護部品ＥＰ２の配線経路を追加することができる。例えば、この電気接続構造体１は、既存の主バスバ１０をそのまま残し、その既存の主バスバ１０に第１副バスバ４０と第２副バスバ５０を接続するだけで、追加電気部品の配線経路を追加することができる。このように、本実施形態の電気接続構造体１は、簡便に配線経路を追加することができる。よって、この電気接続構造体１は、多様な配線経路のものを安価に構築することができる。
【００４６】
ところで、第１追加電気接続室３３Ａにおいては、第１回路保護部品ＥＰ１の配線経路の追加のために第１副バスバ４０を用いる場合、先に示したように、その第１副バスバ４０の追加配線接続体４１が収容される（図１５）。本実施形態の電気接続構造体１は、第１副バスバ４０が用いられない場合、その第１追加電気接続室３３Ａが有効活用されるように構成している。具体的に、本実施形態の第１追加電気接続室３３Ａは、第１副バスバ４０が用いられないときに、第３電線Ｗｅ３の端末に物理的且つ電気的に接続された端子金具Ｔ３を収容し得るものとして形成する（図１６）。この第１追加電気接続室３３Ａには、収容された端子金具Ｔ３を収容完了位置で保持するための係止突起部２７Ａを設けている（図１６）。
【００４７】
また、第２追加電気接続室３３Ｂにおいては、第２回路保護部品ＥＰ２の配線経路の追加のために第２副バスバ５０を用いる場合、先に示したように、その第２副バスバ５０の追加配線接続体５１が収容される（図１７）。本実施形態の電気接続構造体１は、第２副バスバ５０が用いられない場合、その第２追加電気接続室３３Ｂが有効活用されるように構成している。具体的に、本実施形態の第２追加電気接続室３３Ｂは、第２副バスバ５０が用いられないときに、第４電線Ｗｅ４の端末に物理的且つ電気的に接続された端子金具Ｔ４を収容し得るものとして形成する（図１８）。この第２追加電気接続室３３Ｂには、収容された端子金具Ｔ４を収容完了位置で保持するための係止突起部２７Ｂを設けている（図１８）。
【００４８】
この例示では、その係止突起部２７Ｂを第２副バスバ５０の収容完了位置での位置保持用にも利用する。そこで、第２副バスバ５０には、追加配線接続体５１が第２追加電気接続室３３Ｂの収容完了位置に収容されているときに、係止突起部２７Ｂを挿入させる貫通孔５４を形成している（図１０及び図１７）。ここでは、追加配線接続体５１に貫通孔５４を設けている。第２副バスバ５０は、追加配線接続体５１が収容完了位置のときに、貫通孔５４に挿入された係止突起部２７Ｂによって、その収容完了位置で係止される。
【００４９】
ここで、この電気接続構造体１は、第１電線Ｗｅ１や第２電線Ｗｅ２を電気配線ブロック２０に外方に引き出させることによって、その第１電線Ｗｅ１や第２電線Ｗｅ２と共にワイヤハーネスＷＨを構成する（図３）。また、この電気接続構造体１は、電気配線ブロック２０を絶縁性の筐体Ｂ０に収容し且つ保持させることによって、電気接続箱Ｂを構成する（図３）。そして、この電気接続構造体１は、その筐体Ｂ０から第１電線Ｗｅ１や第２電線Ｗｅ２を外方に引き出させることによって、その筐体Ｂ０も含んだワイヤハーネスＷＨを構成する（図３）。その電気接続箱ＢやワイヤハーネスＷＨは、電気接続構造体１を包含するものであり、この電気接続構造体１によって得られるものと同様の効果を奏することができる。
【００５０】
尚、電気接続箱Ｂにおいては、筐体Ｂ０が電気配線ブロック２０と一体になって成形された１つの部品として用意されたものであってもよい。この場合の筐体Ｂ０は、第１配線接続体１２Ａが収容される第１電気接続室２１ｂと、第２配線接続体１２Ｂが収容される第２電気接続室２１ｃと、を有している。更に、この筐体Ｂ０は、追加配線接続体４１の収容が可能な第１追加電気接続室３３Ａと、追加配線接続体５１の収容が可能な第２追加電気接続室３３Ｂと、を有している。
【００５１】
［変形例１］
図１９から図２１の符号２は、本変形例の電気接続構造体を示す。本変形例の電気接続構造体２は、前述した実施形態の電気接続構造体１、電気接続箱Ｂ及びワイヤハーネスＷＨの回路追加構造３０を下記の回路追加構造１３０に置き換えたものに相当する（図１９から図２４）。
【００５２】
本変形例の回路追加構造１３０は、副バスバ１４０と、その副バスバ１４０を主バスバ１０に対して物理的且つ電気的に接続させることが可能なバスバ間接続構造１３２と、を備える（図１９、図２０及び図２２）。
【００５３】
副バスバ１４０は、金属等の導電性材料で成形される。この例示では、銅板等の金属板を母材にして板状にプレス成形されている。この例示の回路追加構造１３０は、追加電気部品ＥＰｘとして、第１回路保護部品ＥＰ１を追加させることができる。よって、副バスバ１４０には、電気配線ブロック２０の中に設ける追加配線経路に対応させた第１回路保護部品ＥＰ１の電気接続対象たる第１追加配線接続体１４１と、電気配線ブロック２０の外に設ける追加配線経路に対応させた第１回路保護部品ＥＰ１の電気接続対象たる第２追加配線接続体１４２と、が設けられる（図１９及び図２２）。副バスバ１４０は、１つ又は複数の第１追加配線接続体１４１と、１つ又は複数の第２追加配線接続体１４２と、を少なくとも有する。第１追加配線接続体１４１と第２追加配線接続体１４２は、各々、実施形態の第１副バスバ４０の追加配線接続体４１と同じように、音叉端子形状に形成されている。この例示の副バスバ１４０は、同一平面上で略等間隔に並べられ且つ嵌入口を同じ向きに向けた複数の第１追加配線接続体１４１の組み合わせと、同一平面上で略等間隔に並べられ且つ嵌入口を同じ向きに向けた複数の第２追加配線接続体１４２の組み合わせと、を有しており、それぞれの組み合わせが間隔を空けて対向配置されている。
【００５４】
バスバ間接続構造１３２は、実施形態のバスバ間接続構造３２と同じように、主バスバ１０のバスバ間被接続体１７Ａと、副バスバ１４０のバスバ間接続体１４３と、を備える（図１９、図２０及び図２２）。そのバスバ間接続体１４３は、実施形態のバスバ間接続体４２と同様のものであり、第１から第３の押圧部１４３ａ−１４３ｃを有している（図２２）。
【００５５】
この例示の副バスバ１４０は、そのバスバ間接続体１４３をそれぞれの第１追加配線接続体１４１に連結させる第１連結体１４４と、それぞれの第２追加配線接続体１４２を連結させる第２連結体１４５と、その第１連結体１４４及び第２連結体１４５を連結させる第３連結体１４６と、を有する（図２２）。第１連結体１４４は、第１副バスバ４０の連結体４３と同じようにクランク形状を成しており、一端側の矩形の平板部１４４ａにそれぞれの第１追加配線接続体１４１を連結させ、他端側の矩形の平板部１４４ｂにバスバ間接続体１４３を連結させている（図２２）。第２連結体１４５は、矩形の平板状を成しており、矩形の平板状の第３連結体１４６を介して平板部１４４ａに連結されている。
【００５６】
本変形例の回路追加構造１３０は、更に、第１追加配線接続体１４１の収容が可能な第１追加電気接続室１３３と、第２追加配線接続体１４２の収容が可能な第２追加電気接続室１３４とを備える（図２０、図２３及び図２４）。
【００５７】
本変形例の電気接続構造体２においては、それぞれの第１追加配線接続体１４１を主バスバ１０と同じ電気配線ブロック２０に収容させる。第１追加電気接続室１３３は、実施形態の第１追加電気接続室３３Ａと同様のものであり、第１追加配線接続体１４１毎に電気配線ブロック２０に設けている。よって、この第１追加電気接続室１３３においては、電気配線ブロック２０の第１追加電気部品収容室２５に収容された第１回路保護部品ＥＰ１の端子接続部ＥＰ１ａが挿入され、その挿入された端子接続部ＥＰ１ａが第１追加配線接続体１４１に嵌入接続される。
【００５８】
一方、本変形例の電気接続構造体２においては、それぞれの第２追加配線接続体１４２を電気配線ブロック２０の外に配置する。そこで、本変形例の回路追加構造１３０は、それぞれの第２追加配線接続体１４２を収容させる絶縁性の追加電気配線ブロック１６０を備える（図１９から図２１、図２３及び図２４）。その追加電気配線ブロック１６０は、合成樹脂等の絶縁性材料で成形され、電気配線ブロック２０の隣に並べて配置される。この追加電気配線ブロック１６０は、追加配線経路に対応させた第１回路保護部品ＥＰ１が収容され且つ保持される第１回路保護部品ＥＰ１毎の追加電気部品収容室１６５を有する（図１９及び図２５）。第２追加電気接続室１３４は、第２追加配線接続体１４２毎に追加電気配線ブロック１６０に設けている。この第２追加電気接続室１３４においては、追加電気部品収容室１６５に収容された第１回路保護部品ＥＰ１の端子接続部ＥＰ１ａが挿入され、その挿入された端子接続部ＥＰ１ａが第２追加配線接続体１４２に嵌入接続される。
【００５９】
本変形例においても、第１追加電気接続室１３３は、実施形態の第１追加電気接続室３３Ａと同じように、副バスバ１４０が用いられないときに端子金具Ｔ３を収容し得るものとして形成する。また、第２追加電気接続室１３４は、その第１追加電気接続室１３３と同じように、副バスバ１４０が用いられないときに端子金具Ｔ３を収容し得るものとして形成する。
【００６０】
ここで、本変形例の追加電気配線ブロック１６０においては、副バスバ１４０とは別の導電性のバスバ１１０も収容される（図１９、図２０、図２４及び図２５）。本変形例では、主バスバ１０が収容される電気配線ブロック２０を基準ブロックとして設定しているので、第２追加配線接続体１４２が収容されるブロックを追加電気配線ブロック１６０と称している。しかしながら、本変形例の電気接続構造体２は、バスバ１１０を主バスバ１０と同様の電源バスバとして形成することによって、電気配線ブロック２０と追加電気配線ブロック１６０を同程度の電源分配用のブロックとして利用してもよい。
【００６１】
バスバ１１０は、電源側に電気接続される電源接続体１１１と、第１回路保護部品ＥＰ１に電気接続させる音叉端子形状の第１配線接続体１１２Ａと、第２回路保護部品ＥＰ２に電気接続させる雄タブ端子形状の第２配線接続体１１２Ｂと、第３回路保護部品ＥＰ３に電気接続させる雄タブ端子形状の第３配線接続体１１２Ｃと、を有している。このバスバ１１０は、同一平面上で略等間隔に並べられ且つ嵌入口を同じ向きに向けた複数の第１配線接続体１１２Ａの組み合わせと、同一平面上で間隔を空けて並べられた電源接続体１１１と複数の第２配線接続体１１２Ｂと複数の第３配線接続体１１２Ｃの組み合わせと、を有する。このバスバ１１０においては、それぞれの組み合わせが間隔を空けて対向配置されている。
【００６２】
追加電気配線ブロック１６０は、バスバ１１０が収容され且つ保持されるバスバ収容室１６１（図２３及び図２４）と、第１回路保護部品ＥＰ１が収容され且つ保持される第１回路保護部品ＥＰ１毎の第１電気部品収容室１６２（図１９及び図２５）と、第２回路保護部品ＥＰ２が収容され且つ保持される第２回路保護部品ＥＰ２毎の第２電気部品収容室１６３（図１９及び図２５）と、第３回路保護部品ＥＰ３が収容され且つ保持される第３電気部品収容室１６４（図１９及び図２５）と、を有している。
【００６３】
バスバ収容室１６１には、電源接続体１１１を収容させる電源接続室１６１ａが形成されている（図２３及び図２４）。その電源接続室１６１ａにおいては、電気配線ブロック２０側と同じように、挿入された雌端子に対して電源接続体１１１が嵌入接続されている。また、このバスバ収容室１６１には、第１配線接続体１１２Ａを収容させる第１配線接続体１１２Ａ毎の第１電気接続室１６１ｂと、第２配線接続体１１２Ｂを収容させる第２配線接続体１１２Ｂ毎の第２電気接続室１６１ｃと、それぞれの第３配線接続体１１２Ｃを収容させる第３電気接続室１６１ｄと、が形成されている（図２３及び図２４）。第１電気接続室１６１ｂにおいては、第１電気部品収容室１６２に収容された第１回路保護部品ＥＰ１の端子接続部ＥＰ１ａが挿入され、その挿入された端子接続部ＥＰ１ａが第１配線接続体１１２Ａに嵌入接続される。一方、第２電気接続室１６１ｃは、バスバ収容室１６１と第２電気部品収容室１６３の一部分であり、このバスバ収容室１６１と第２電気部品収容室１６３とで共用している部屋として設けられている。よって、この第２電気接続室１６１ｃにおいては、第２回路保護部品ＥＰ２が第２電気部品収容室１６３に収容されることによって、この第２回路保護部品ＥＰ２の端子接続部に対して第２配線接続体１１２Ｂが嵌入接続される。また、第３電気接続室１６１ｄは、バスバ収容室１６１と第３電気部品収容室１６４の一部分であり、このバスバ収容室１６１と第３電気部品収容室１６４とで共用している部屋として設けられている。よって、この第３電気接続室１６１ｄにおいては、第３回路保護部品ＥＰ３が第３電気部品収容室１６４に収容されることによって、この第３回路保護部品ＥＰ３の端子接続部に対して第３配線接続体１１２Ｃが嵌入接続される。
【００６４】
以上示した電気接続構造体２は、主バスバ１０の配線経路とバスバ１１０の配線経路とで電源側と電気部品ＥＰとを電気接続させることができる（図２６）。また、この電気接続構造体２は、電気配線ブロック２０側で第１回路保護部品ＥＰ１の配線経路を主バスバ１０に追加したい場合（図２７）、又は、追加電気配線ブロック１６０側で第１回路保護部品ＥＰ１の配線経路を主バスバ１０に追加したい場合（図２８）、電気配線ブロック２０と追加電気配線ブロック１６０の双方で第１回路保護部品ＥＰ１の配線経路を主バスバ１０に追加したい場合（図２１）、主バスバ１０と副バスバ１４０とを接続し、主バスバ１０を電気配線ブロック２０に収容しながら、副バスバ１４０を電気配線ブロック２０と追加電気配線ブロック１６０とに収容するだけの簡便な作業で、第１回路保護部品ＥＰ１の配線経路を追加することができる。例えば、この電気接続構造体２は、既存の主バスバ１０をそのまま残し、その既存の主バスバ１０に副バスバ１４０を接続するだけで、追加電気部品の配線経路を追加することができる。このように、本変形例の電気接続構造体２は、簡便に配線経路を追加することができる。よって、この電気接続構造体２は、多様な配線経路のものを安価に構築することができる。また、本変形例の電気接続箱ＢとワイヤハーネスＷＨは、その電気接続構造体２を包含するものであり、この電気接続構造体２によって得られるものと同様の効果を奏することができる。
【００６５】
ここで、本変形例の電気接続構造体２、電気接続箱Ｂ及びワイヤハーネスＷＨにおいても、第１追加電気接続室１３３と第２追加電気接続室１３４は、実施形態の第１追加電気接続室３３Ａと同じように、副バスバ１４０が用いられないときに、第３電線Ｗｅ３の端末の端子金具Ｔ３を収容し得るものとして形成してもよい。
【００６６】
尚、本変形例の電気接続箱Ｂにおいても、筐体Ｂ０は、電気配線ブロック２０及び追加電気配線ブロック１６０と一体になって成形された１つの部品として用意されたものであってもよい。この場合の筐体Ｂ０は、第１配線接続体１２Ａが収容される第１電気接続室２１ｂと、第２配線接続体１２Ｂが収容される第２電気接続室２１ｃと、を有している。更に、この筐体Ｂ０は、第１追加配線接続体１４１の収容が可能な第１追加電気接続室１３３と、第２追加配線接続体１４２の収容が可能な第２追加電気接続室１３４と、を有している。
【００６７】
［変形例２］
図２９及び図３０の符号３は、本変形例の電気接続構造体を示す。本変形例の電気接続構造体３は、前述した変形例１の電気接続構造体２、電気接続箱Ｂ及びワイヤハーネスＷＨの回路追加構造１３０を下記の回路追加構造２３０に置き換えたものに相当する（図２９及び図３１から図３３）。そして、本変形例の回路追加構造２３０は、変形例１の回路追加構造１３０において、副バスバ１４０を第１副バスバ２４０と第２副バスバ２５０とに置き換え、この置換に伴う下記の変更を行ったものである（図２９及び図３１から図３３）。本変形例の回路追加構造２３０においては、変形例１の追加電気配線ブロック１６０を流用している。
【００６８】
本変形例の回路追加構造２３０は、第１副バスバ２４０と、第２副バスバ２５０と、その第１副バスバ２４０及び第２副バスバ２５０を主バスバ１０に対して物理的且つ電気的に接続させることが可能なバスバ間接続構造２３２と、その第１副バスバ２４０及び第２副バスバ２５０を物理的且つ電気的に接続させる接続バスバ２３３と、を備える（図２９及び図３１から図３３）。
【００６９】
この例示の回路追加構造２３０において、第１副バスバ２４０と第２副バスバ２５０と接続バスバ２３３は、副バスバ１４０を第１追加配線接続体１４１側と第２追加配線接続体１４２側と第３連結体１４６側とに分割したものに相当する。よって、第１副バスバ２４０は、第１追加配線接続体１４１と同様の音叉端子形状に形成され且つ第１追加配線接続体１４１と同様に配置された複数の追加配線接続体２４１を有する（図３１から図３３）。また、第２副バスバ２５０は、第２追加配線接続体１４２と同様の音叉端子形状に形成され且つ第２追加配線接続体１４２と同様に配置された複数の追加配線接続体２５１を有する（図２９及び図３１から図３３）。従って、本変形例の回路追加構造２３０においては、第１副バスバ２４０の追加配線接続体２４１が電気配線ブロック２０の第１追加電気接続室１３３に収容され、第２副バスバ２５０の追加配線接続体２５１が追加電気配線ブロック１６０の第２追加電気接続室１３４に収容される。
【００７０】
ここで、この例示の回路追加構造２３０において、バスバ間接続構造２３２は、変形例１のバスバ間接続構造１３２と同じように、主バスバ１０のバスバ間被接続体１７Ａを備えている。そして、この例示のバスバ間接続構造２３２においては、そのバスバ間被接続体１７Ａに対して第１副バスバ２４０側を物理的且つ電気的に接続させることによって、第１副バスバ２４０及び第２副バスバ２５０を主バスバ１０に対して物理的且つ電気的に接続させる。よって、第１副バスバ２４０は、バスバ間被接続体１７Ａに対して物理的且つ電気的に接続させることが可能なバスバ間接続体２４２と、そのバスバ間接続体２４２をそれぞれの追加配線接続体２４１に連結させる連結体２４３と、を有する（図３１から図３３）。バスバ間接続体２４２は、変形例１のバスバ間接続体１４３と同様のものであり、第１から第３の押圧部２４２ａ−２４２ｃを有している（図３１）。連結体２４３は、副バスバ１４０の第１連結体１４４と同じようにクランク形状を成しており、一端側の矩形の平板部２４３ａにそれぞれの追加配線接続体２４１を連結させ、他端側の矩形の平板部２４３ｂにバスバ間接続体２４２を連結させている（図３１及び図３２）。
【００７１】
第２副バスバ２５０は、それぞれの追加配線接続体２５１を連結させる連結体２５２を有する（図３１から図３３）。
【００７２】
接続バスバ２３３は、矩形の平板状の連結主体２３３ａと、第１副バスバ２４０に対して物理的且つ電気的に接続させることが可能な第１接続体２３３ｂと、第２副バスバ２５０に対して物理的且つ電気的に接続させることが可能な第２接続体２３３ｃと、を有する（図３１）。この接続バスバ２３３においては、連結主体２３３ａの２つの辺部から第１接続体２３３ｂと第２接続体２３３ｃを各々垂設させている。
【００７３】
第１接続体２３３ｂは、第１副バスバ２４０の平板部２４３ａに取り付ける。この第１接続体２３３ｂは、バスバ間接続体２４２の第１及び第２の押圧部２４２ａ，２４２ｂと同様の形状から成る第１から第３の押圧部２３３ｂ１−２３３ｂ３と、バスバ間接続体２４２の第３押圧部２４２ｃと同様の形状から成る第４及び第５の押圧部２３３ｂ４，２３３ｂ５と、を有する（図３１）。第１から第３の押圧部２３３ｂ１−２３３ｂ３は、互いに間隔を空けて一列に並べられている。この第１接続体２３３ｂにおいては、第１押圧部２３３ｂ１と第２押圧部２３３ｂ２との間に第４押圧部２３３ｂ４を配置し、第２押圧部２３３ｂ２と第３押圧部２３３ｂ３との間に第５押圧部２３３ｂ５を配置している。この第１接続体２３３ｂは、第１から第３の押圧部２３３ｂ１−２３３ｂ３と第４及び第５の押圧部２３３ｂ４，２３３ｂ５とで平板部２４３ａを挟持させることによって、接続バスバ２３３を第１副バスバ２４０に対して物理的且つ電気的に接続させる。
【００７４】
第２接続体２３３ｃは、バスバ間接続体２４２と同様の形状のものとして形成し、第２副バスバ２５０の連結体２５２に取り付ける。よって、この第２接続体２３３ｃは、第１から第３の押圧部２４２ａ−２４２ｃと同様の第１から第３の押圧部２３３ｃ１−２３３ｃ３を有している（図３１）。この第２接続体２３３ｃは、第１及び第２の押圧部２３３ｃ１，２３３ｃ２と第３押圧部２３３ｃ３とで連結体２５２を挟持させることによって、接続バスバ２３３を第２副バスバ２５０に対して物理的且つ電気的に接続させる。接続バスバ２３３においては、２つの第２接続体２３３ｃが一列に並べて配置されている。
【００７５】
本変形例の回路追加構造２３０は、第１副バスバ２４０と第２副バスバ２５０と接続バスバ２３３とが電気配線ブロック２０と追加電気配線ブロック１６０とに収容された状態で、その接続バスバ２３３を外方から覆い隠す絶縁性のカバー２３４を備えている（図２９、図３０、図３４及び図３５）。そのカバー２３４は、合成樹脂等の絶縁性材料で成形される。
【００７６】
このカバー２３４は、接続バスバ２３３の連結主体２３３ａを収容させるカバー主体２３４ａを備える（図３４及び図３５）。このカバー２３４は、第１ロック機構２３５を介して電気配線ブロック２０に取り付け（図３５）、かつ、第２ロック機構２３６を介して追加電気配線ブロック１６０に取り付ける（図３４）。
【００７７】
第１ロック機構２３５は、カバー２３４に設けた第１係合部２３５ａと、電気配線ブロック２０に設けた第２係合部２３５ｂと、を備える（図３５）。例えば、第１係合部２３５ａと第２係合部２３５ｂの内の一方は、爪部として形成される。そして、その内の他方は、その爪部に引っ掛けて、カバー２３４を電気配線ブロック２０への取付完了状態で保持させる係止部として形成される。この例示では、第１係合部２３５ａが係止部として形成され、第２係合部２３５ｂが爪部として形成されている。この第１ロック機構２３５は、２箇所に設けている。
【００７８】
第２ロック機構２３６は、カバー２３４に設けた第１係合部２３６ａと、追加電気配線ブロック１６０に設けた第２係合部２３６ｂと、を備える（図３４）。例えば、第１係合部２３６ａと第２係合部２３６ｂの内の一方は、爪部として形成される。そして、その内の他方は、その爪部に引っ掛けて、カバー２３４を追加電気配線ブロック１６０への取付完了状態で保持させる係止部として形成される。この例示では、第１係合部２３６ａが係止部として形成され、第２係合部２３６ｂが爪部として形成されている。この第２ロック機構２３６は、２箇所に設けている。
【００７９】
以上示した本変形例の電気接続構造体３は、変形例１の電気接続構造体２と同形態の配線経路の追加を行うことができる。よって、この電気接続構造体３は、変形例１の電気接続構造体２と同じように、多様な配線経路のものを安価に構築することができる。また、本変形例の電気接続箱ＢとワイヤハーネスＷＨは、その電気接続構造体３を包含するものであり、この電気接続構造体３によって得られるものと同様の効果を奏することができる。
【００８０】
ここで、本変形例の電気接続構造体３、電気接続箱Ｂ及びワイヤハーネスＷＨにおいても、第１追加電気接続室１３３と第２追加電気接続室１３４は、変形例１の第１追加電気接続室１３３及び第２追加電気接続室１３４と同じように、第１副バスバ２４０及び第２副バスバ２５０が用いられないときに、第３電線Ｗｅ３の端末の端子金具Ｔ３を収容し得るものとして形成してもよい。
【００８１】
また、本変形例の電気接続箱Ｂにおいても、筐体Ｂ０は、変形例１の筐体Ｂ０と同じように、電気配線ブロック２０及び追加電気配線ブロック１６０と一体になって成形された１つの部品として用意されたものであってもよい。
【００８２】
［変形例３］
図３６から図３８の符号４は、本変形例の電気接続構造体を示す。本変形例の電気接続構造体４は、導電性の主バスバ３１０と、この主バスバ３１０が収容され且つ保持される絶縁性の電気配線ブロック３２０と、を備える（図３６及び図３７）。
【００８３】
ここで例示する主バスバ３１０は、前述した変形例１及び２のバスバ１１０と同様の形状に形成されている（図３６、図３７、図３９及び図４０）。よって、この主バスバ３１０は、電源側に電気接続される電源接続体３１１と、第１回路保護部品ＥＰ１に電気接続させる音叉端子形状の第１配線接続体３１２Ａと、第２回路保護部品ＥＰ２に電気接続させる雄タブ端子形状の第２配線接続体３１２Ｂと、第３回路保護部品ＥＰ３に電気接続させる雄タブ端子形状の第３配線接続体３１２Ｃと、を有している（図３６、図３９及び図４０）。そして、この主バスバ３１０は、同一平面上で略等間隔に並べられ且つ嵌入口を同じ向きに向けた複数の第１配線接続体３１２Ａの組み合わせと、同一平面上で間隔を空けて並べられた電源接続体３１１と複数の第２配線接続体３１２Ｂと複数の第３配線接続体３１２Ｃの組み合わせと、を有する。この主バスバ３１０においては、それぞれの組み合わせが間隔を空けて対向配置されている。
【００８４】
本変形例の主バスバ３１０には、後述するバスバ間接続構造３３２のバスバ間被接続体３１３が形成されている（図３９及び図４０）。この例示では、電源接続体３１１等を有する一方の組み合わせにバスバ間被接続体３１３が設けられている。本変形例の主バスバ３１０においては、バスバ１１０で第２配線接続体１１２Ｂとして用いていた３つの内の１つをバスバ間被接続体３１３として利用する。よって、この例示のバスバ間被接続体３１３は、雄タブ端子形状に形成されている。
【００８５】
ここで例示する電気配線ブロック３２０は、前述した変形例１及び２の追加電気配線ブロック１６０と同様の形状に形成されている。よって、この電気配線ブロック３２０は、主バスバ３１０が収容され且つ保持されるバスバ収容室（主バスバ収容室）３２１（図３７）と、第１回路保護部品ＥＰ１が収容され且つ保持される第１回路保護部品ＥＰ１毎の第１電気部品収容室３２２（図３６）と、第２回路保護部品ＥＰ２が収容され且つ保持される第２回路保護部品ＥＰ２毎の第２電気部品収容室３２３（図３６）と、第３回路保護部品ＥＰ３が収容され且つ保持される第３電気部品収容室３２４（図３６）と、を有している。
【００８６】
但し、本変形例の電気配線ブロック３２０においては、追加電気配線ブロック１６０で第２電気部品収容室１６３として用いていた３つの内の１つをバスバ間被接続体３１３の収容室（以下、「接続部収容室」という。）３２５として利用する（図３６）。
【００８７】
また、本変形例のバスバ収容室３２１は、変形例１及び２のバスバ収容室１６１と同じように、電源接続体３１１を収容させる電源接続室３２１ａ（図３７）と、第１配線接続体３１２Ａを収容させる第１配線接続体３１２Ａ毎の第１電気接続室３２１ｂ（図３７）と、第２配線接続体３１２Ｂを収容させる第２配線接続体３１２Ｂ毎の第２電気接続室３２１ｃ（図３６）と、それぞれの第３配線接続体３１２Ｃを収容させる第３電気接続室３２１ｄ（図３６）と、が形成されている。第２電気接続室３２１ｃは、バスバ収容室３２１と第２電気部品収容室３２３の一部分であり、このバスバ収容室３２１と第２電気部品収容室３２３とで共用している部屋として設けられている。よって、この第２電気接続室３２１ｃにおいては、第２回路保護部品ＥＰ２が第２電気部品収容室３２３に収容されることによって、この第２回路保護部品ＥＰ２の端子接続部に対して第２配線接続体３１２Ｂが嵌入接続される。また、第３電気接続室３２１ｄは、バスバ収容室３２１と第３電気部品収容室３２４の一部分であり、このバスバ収容室３２１と第３電気部品収容室３２４とで共用している部屋として設けられている。よって、この第３電気接続室３２１ｄにおいては、第３回路保護部品ＥＰ３が第３電気部品収容室３２４に収容されることによって、この第３回路保護部品ＥＰ３の端子接続部に対して第３配線接続体３１２Ｃが嵌入接続される。
【００８８】
本変形例の電気接続構造体４は、主バスバ３１０で形成されている配線経路を追加させるための回路追加構造３３０を備える（図３６、図３７、図３９及び図４０）。その回路追加構造３３０は、導電性の副バスバ３４０Ａを用いて、追加電気部品ＥＰｘの配線経路を追加させる。
【００８９】
本変形例の副バスバ３４０Ａは、金属等の導電性材料で成形される。この例示では、銅板等の金属板を母材にして板状にプレス成形されている。この例示では、追加電気部品ＥＰｘとして、第１回路保護部品ＥＰ１を追加させる。よって、副バスバ３４０Ａには、追加配線経路に対応させた第１回路保護部品ＥＰ１の電気接続対象たる追加配線接続体３４１Ａが設けられる（図３６、図３７、図３９及び図４０）。副バスバ３４０Ａは、１つ又は複数の追加配線接続体３４１Ａを有する。追加配線接続体３４１Ａは、音叉端子形状に形成されている。この例示の副バスバ３４０Ａは、同一平面上で略等間隔に並べられ且つ嵌入口を同じ向きに向けた複数の追加配線接続体３４１Ａの組み合わせを有しており、それぞれの追加配線接続体３４１Ａが矩形の平板状の連結体３４２によって繋がれている（図３９及び図４０）。
【００９０】
回路追加構造３３０は、その副バスバ３４０Ａを主バスバ３１０に対して電気接続させることが可能なバスバ間接続構造３３２を備える（図３６、図３７、図３９及び図４０）。本変形例のバスバ間接続構造３３２は、主バスバ３１０と副バスバ３４０Ａとの間に介在させて、これらを連結させる接続バスバ３５０を備える。その接続バスバ３５０は、金属等の導電性材料で成形される。この例示では、銅板等の金属板を母材にして板状にプレス成形されている。
【００９１】
バスバ間接続構造３３２は、主バスバ３１０が有し、接続バスバ３５０を介して副バスバ３４０Ａを電気接続させることが可能なバスバ間被接続体３１３と、接続バスバ３５０が有し、主バスバ３１０のバスバ間被接続体３１３に物理的且つ電気的に接続させることが可能なバスバ間接続体３５１と、を備える（図３９及び図４０）。この例示のバスバ間接続体３５１は、例えば、バスバ間被接続体３１３を嵌入させる雌端子形状のものとして、又は、バスバ間被接続体３１３に巻き付けて加締め圧着させる２つのバレル片部を有するものとして形成する。
【００９２】
更に、このバスバ間接続構造３３２は、接続バスバ３５０が有し、副バスバ３４０Ａを物理的且つ電気的に接続させることが可能なバスバ間被接続体３５２と、副バスバ３４０Ａが有し、接続バスバ３５０のバスバ間被接続体３５２に物理的且つ電気的に接続させることが可能なバスバ間接続体３４３と、を備える（図３９及び図４０）。この例示の接続バスバ３５０においては、矩形の平板部をバスバ間被接続体３５２として利用している。また、副バスバ３４０Ａにおいては、連結体３４２を間に挟んでそれぞれの追加配線接続体３４１Ａとは逆側にバスバ間接続体３４３を設けている。この例示のバスバ間接続体３４３は、例えば、実施形態のバスバ間接続体４２の第１及び第２の押圧部４２ａ，４２ｂと同様の形状から成る第１及び第２の押圧部３４３ａ，３４３ｂと、バスバ間接続体４２の第３押圧部４２ｃと同様の形状から成る第３及び第４の押圧部３４３ｃ，３４３ｄと、を有する。第１及び第２の押圧部３４３ａ，３４３ｂは、互いに間隔を空けて一列に並べられている。また、第３及び第４の押圧部３４３ｃ，３４３ｄは、互いに間隔を空けて一列に並べられている。このバスバ間接続体３４３においては、第１押圧部３４３ａと第２押圧部３４３ｂとの間に第３及び第４の押圧部３４３ｃ，３４３ｄを配置している。このバスバ間接続体３４３は、第１及び第２の押圧部３４３ａ，３４３ｂと第３及び第４の押圧部３４３ｃ，３４３ｄとでバスバ間被接続体３５２を挟持させることによって、副バスバ３４０Ａを接続バスバ３５０に対して物理的且つ電気的に接続させる。
【００９３】
ここで、接続バスバ３５０は、バスバ間接続体３５１とバスバ間被接続体３５２との間に、追加配線接続体３５３を１つ又は複数有している（図３６、図３７、図３９及び図４０）。この例示の接続バスバ３５０には、追加配線接続体３５３が１つ形成されている。また、この例示の追加配線接続体３５３は、第２回路保護部品ＥＰ２に対して物理的且つ電気的に接続させるべく、雄タブ端子形状に形成している。
【００９４】
本変形例の回路追加構造３３０は、接続バスバ３５０が収容され且つ保持される絶縁性の追加電気配線ブロック３６０と、副バスバ３４０Ａが収容され且つ保持され、この副バスバ３４０Ａと共に追加電気配線ブロック３６０に収容され且つ保持される絶縁性の追加電気配線ブロック（以下、「副電気配線ブロック」という。３７０Ａと、を備える（図３６及び図３７）。その追加電気配線ブロック３６０と副電気配線ブロック３７０Ａは、合成樹脂等の絶縁性材料で成形される。
【００９５】
追加電気配線ブロック３６０は、接続バスバ３５０が収容され且つ保持されるバスバ収容室３６１（図３６及び図３７）と、副電気配線ブロック３７０Ａが収容され且つ保持されるブロック収容室３６２（図３６）と、を有する。そのバスバ収容室３６１とブロック収容室３６２は、互いに連通させる。よって、この追加電気配線ブロック３６０においては、バスバ収容室３６１に収容された接続バスバ３５０と副電気配線ブロック３７０Ａと共にブロック収容室３６２収容された副バスバ３４０Ａとを、バスバ間被接続体３５２とバスバ間接続体３４３とを介して物理的且つ電気的に接続させることができる。
【００９６】
更に、この追加電気配線ブロック３６０は、電気配線ブロック３２０の接続部収容室３２５に収容されるブロック接続体３６３を有する（図３６）。接続バスバ３５０においては、バスバ収容室３６１に収容されている状態で、バスバ間接続体３５１がブロック接続体３６３の外方に突出させられている。
【００９７】
また更に、この追加電気配線ブロック３６０は、追加配線経路に対応させた第２回路保護部品ＥＰ２が収容され且つ保持される追加電気部品収容室３６４を有する（図３６及び図３７）。
【００９８】
副電気配線ブロック３７０Ａは、副バスバ３４０Ａが収容され且つ保持されるバスバ収容室（副バスバ収容室）３７１Ａを有する（図３７）。そのバスバ収容室３７１Ａには、接続バスバ３５０のバスバ間被接続体３５２も収容される。よって、このバスバ収容室３７１Ａにおいては、副バスバ３４０Ａのバスバ間接続体３４３とバスバ間被接続体３５２とが物理的且つ電気的に接続されている。
【００９９】
更に、この副電気配線ブロック３７０Ａは、追加配線経路に対応させた第１回路保護部品ＥＰ１が収容され且つ保持される第１回路保護部品ＥＰ１毎の追加電気部品収容室３７２Ａを有する（図３６）。
【０１００】
本変形例の回路追加構造３３０は、副バスバ３４０Ａにおける追加配線接続体３４１Ａの収容が可能な追加電気接続室３３３Ａを備える（図３７）。その追加電気接続室３３３Ａは、追加配線接続体３４１Ａ毎に設けられている。この追加電気接続室３３３Ａは、バスバ収容室３７１Ａに形成されている。この追加電気接続室３３３Ａにおいては、追加電気部品収容室３７２Ａに収容された第１回路保護部品ＥＰ１の端子接続部ＥＰ１ａが挿入され、その挿入された端子接続部ＥＰ１ａが追加配線接続体３４１Ａに嵌入接続される。
【０１０１】
また、本変形例の回路追加構造３３０は、接続バスバ３５０における追加配線接続体３５３の収容が可能な追加電気接続室３３４も備えている（図３６及び図３７）。その追加電気接続室３３４は、バスバ収容室３６１と追加電気部品収容室３６４の一部分であり、このバスバ収容室３６１と追加電気部品収容室３６４とで共用している部屋として設けられている。よって、この追加電気接続室３３４においては、第２回路保護部品ＥＰ２が追加電気部品収容室３６４に収容されることによって、この第２回路保護部品ＥＰ２の端子接続部に対して追加配線接続体３５３が嵌入接続される。
【０１０２】
以上示した電気接続構造体４は、主バスバ３１０の配線経路のみで電源側と電気部品ＥＰとを電気接続させることができる（図４１）。また、この電気接続構造体４は、第１回路保護部品ＥＰ１の配線経路を主バスバ３１０に追加したい場合（図３８）、主バスバ３１０と副バスバ３４０Ａを接続バスバ３５０で接続し、主バスバ３１０を電気配線ブロック３２０に収容しながら、副バスバ３４０Ａと接続バスバ３５０を追加電気配線ブロック３６０と副電気配線ブロック３７０Ａに収容するだけの簡便な作業で、第１回路保護部品ＥＰ１の配線経路を追加することができる。例えば、この電気接続構造体３は、既存の主バスバ３１０をそのまま残し、その既存の主バスバ３１０に副バスバ３４０Ａを接続するだけで、追加電気部品の配線経路を追加することができる。このように、本変形例の電気接続構造体４は、簡便に配線経路を追加することができる。よって、この電気接続構造体４は、多様な配線経路のものを安価に構築することができる。また、本変形例の電気接続箱ＢとワイヤハーネスＷＨは、その電気接続構造体４を包含するものであり、この電気接続構造体４によって得られるものと同様の効果を奏することができる。
【０１０３】
ここで、本変形例の電気接続構造体４、電気接続箱Ｂ及びワイヤハーネスＷＨは、副バスバ３４０Ａと副電気配線ブロック３７０Ａを下記のものに置き換えるだけで、別の追加電気部品ＥＰｘの配線経路を追加させることができる。
【０１０４】
例えば、電気接続構造体４においては、第２回路保護部品ＥＰ２の配線経路を主バスバ３１０に追加したい場合（図４２及び図４３）、副バスバ３４０Ａと副電気配線ブロック３７０Ａを、副バスバ３４０Ｂと副電気配線ブロック３７０Ｂに置き換えればよい。
【０１０５】
副バスバ３４０Ｂは、追加配線接続体３４１Ｂを１つ又は複数有するものである（図４２）。その追加配線接続体３４１Ｂは、追加配線経路に対応させた第２回路保護部品ＥＰ２の電気接続対象であり、雄タブ端子形状に形成されている。この例示の副バスバ３４０Ｂは、副バスバ３４０Ａにおいて、それぞれの追加配線接続体３４１Ａを２つの追加配線接続体３４１Ｂに変更したものに相当する。
【０１０６】
副電気配線ブロック３７０Ｂは、追加電気部品収容室３７２Ｂを１つ又は複数有し、かつ、追加電気接続室３３３Ｂを１つ又は複数有するものである（図４４）。この例示の副電気配線ブロック３７０Ｂは、副電気配線ブロック３７０Ａにおいて、バスバ収容室（副バスバ収容室）３７１Ａをバスバ収容室（副バスバ収容室）３７１Ｂに変更し、かつ、それぞれの追加電気部品収容室３７２Ａを２つの追加電気部品収容室３７２Ｂに変更し、かつ、それぞれの追加電気接続室３３３Ａを２つの追加電気接続室３３３Ｂに変更したものに相当する。バスバ収容室３７１Ｂは、副バスバ３４０Ｂが収容され且つ保持される部屋であり、接続バスバ３５０のバスバ間被接続体３５２も収容される。追加電気部品収容室３７２Ｂは、追加配線経路に対応させた第２回路保護部品ＥＰ２が収容され且つ保持される第２回路保護部品ＥＰ２毎の部屋である。追加電気接続室３３３Ｂは、副バスバ３４０Ｂにおける追加配線接続体３４１Ｂの収容が可能な部屋である。この追加電気接続室３３３Ｂは、追加配線接続体３４１Ｂ毎に設けられている。この追加電気接続室３３３Ｂは、バスバ収容室３７１Ｂと追加電気部品収容室３７２Ｂの一部分であり、このバスバ収容室３７１Ｂと追加電気部品収容室３７２Ｂとで共用している部屋として設けられている。よって、この追加電気接続室３３３Ｂにおいては、第２回路保護部品ＥＰ２が追加電気部品収容室３７２Ｂに収容されることによって、この第２回路保護部品ＥＰ２の端子接続部に対して追加配線接続体３４１Ｂが嵌入接続される。
【０１０７】
また、この電気接続構造体４においては、第１回路保護部品ＥＰ１と第２回路保護部品ＥＰ２の双方の配線経路を主バスバ３１０に追加したい場合（図４５及び図４６）、副バスバ３４０Ａと副電気配線ブロック３７０Ａを、副バスバ３４０Ｃと副電気配線ブロック３７０Ｃに置き換えればよい。
【０１０８】
副バスバ３４０Ｃは、追加配線接続体３４１Ａと追加配線接続体３４１Ｂを少なくとも１つずつ有するものである（図４５）。この例示の副バスバ３４０Ｃは、副バスバ３４０Ａにおいて、それぞれの追加配線接続体３４１Ａの内の隣り合う２つを１つの追加配線接続体３４１Ｂに変更したものに相当する。
【０１０９】
副電気配線ブロック３７０Ｃは、追加電気部品収容室３７２Ａと追加電気部品収容室３７２Ｂを少なくとも１つずつ有し、かつ、追加電気接続室３３３Ａと追加電気接続室３３３Ｂを少なくとも１つずつ有するものである（図４７）。この例示の副電気配線ブロック３７０Ｃは、副電気配線ブロック３７０Ａにおいて、バスバ収容室（副バスバ収容室）３７１Ａをバスバ収容室（副バスバ収容室）３７１Ｃに変更し、かつ、それぞれの追加電気部品収容室３７２Ａの内の隣り合う２つを追加電気部品収容室３７２Ｂに変更し、かつ、それぞれの追加電気接続室３３３Ａの内の隣り合う２つを追加電気接続室３３３Ｂに変更したものに相当する）。バスバ収容室３７１Ｃは、副バスバ３４０Ｃが収容され且つ保持される部屋であり、接続バスバ３５０のバスバ間被接続体３５２も収容される。
【０１１０】
また、この電気接続構造体４においては、第３回路保護部品ＥＰ３の配線経路を主バスバ３１０に追加したい場合（図４８及び図４９）、副バスバ３４０Ａと副電気配線ブロック３７０Ａを、副バスバ３４０Ｄと副電気配線ブロック３７０Ｄに置き換えればよい。
【０１１１】
副バスバ３４０Ｄは、追加配線接続体３４１Ｄを１つ又は複数有するものである（図４８）。その追加配線接続体３４１Ｄは、追加配線経路に対応させた第３回路保護部品ＥＰ３の電気接続対象であり、雄タブ端子形状に形成されている。この例示の副バスバ３４０Ｄは、副バスバ３４０Ａにおいて、それぞれの追加配線接続体３４１Ａを複数の追加配線接続体３４１Ｄに変更したものに相当する）。この例示の副バスバ３４０Ｄには、３つの追加配線接続体３４１Ｄが形成されている。
【０１１２】
副電気配線ブロック３７０Ｄは、追加電気部品収容室３７２Ｄを１つ又は複数有し、かつ、追加電気接続室３３３Ｄを１つ又は複数有するものである（図５０）。この例示の副電気配線ブロック３７０Ｄは、副電気配線ブロック３７０Ａにおいて、バスバ収容室（副バスバ収容室）３７１Ａをバスバ収容室（副バスバ収容室）３７１Ｄに変更し、かつ、それぞれの追加電気部品収容室３７２Ａを１つの追加電気部品収容室３７２Ｄに変更し、かつ、それぞれの追加電気接続室３３３Ａを１つの追加電気接続室３３３Ｄに変更したものに相当する。バスバ収容室３７１Ｄは、副バスバ３４０Ｄが収容され且つ保持される部屋であり、接続バスバ３５０のバスバ間被接続体３５２も収容される。追加電気部品収容室３７２Ｄは、追加配線経路に対応させた第３回路保護部品ＥＰ３が収容され且つ保持される第３回路保護部品ＥＰ３毎の部屋である。追加電気接続室３３３Ｄは、副バスバ３４０Ｄにおける追加配線接続体３４１Ｄの収容が可能な部屋であり、第３回路保護部品ＥＰ３に電気接続させる全ての追加配線接続体３４１Ｄが収容される。この追加電気接続室３３３Ｄは、バスバ収容室３７１Ｄと追加電気部品収容室３７２Ｄの一部分であり、このバスバ収容室３７１Ｄと追加電気部品収容室３７２Ｄとで共用している部屋として設けられている。よって、この追加電気接続室３３３Ｄにおいては、第３回路保護部品ＥＰ３が追加電気部品収容室３７２Ｄに収容されることによって、この第３回路保護部品ＥＰ３の端子接続部に対して追加配線接続体３４１Ｄが嵌入接続される。
【０１１３】
このように、本変形例の電気接続構造体４、電気接続箱Ｂ及びワイヤハーネスＷＨは、対となる副バスバ（３４０Ａ、３４０Ｂ，３４０Ｃ，３４０Ｄ）と副電気配線ブロック（３７０Ａ、３７０Ｂ，３７０Ｃ，３７０Ｄ）の組み合わせを変更するだけで、様々な追加電気部品ＥＰｘに対応させた配線経路を追加させることができる。従って、本変形例の電気接続構造体４、電気接続箱Ｂ及びワイヤハーネスＷＨは、より多様な配線経路のものを安価に構築することができる。
【０１１４】
ここで、本変形例の電気接続構造体４、電気接続箱Ｂ及びワイヤハーネスＷＨにおいても、追加電気接続室３３３Ａは、実施形態の第１追加電気接続室３３Ａと同じように、副バスバ３４０Ａ，３４０Ｃが用いられないときに、第３電線Ｗｅ３の端末の端子金具Ｔ３を収容し得るものとして形成してもよい。
【０１１５】
また、本変形例の電気接続箱Ｂにおいても、筐体Ｂ０は、電気配線ブロック３２０と追加電気配線ブロック３６０と副電気配線ブロック３７０Ａ（３７０Ｂ，３７０Ｃ，３７０Ｄ）とが一体になって成形された１つの部品として用意されたものであってもよい。
【符号の説明】
【０１１６】
１，２，３，４  電気接続構造体
１０，３１０  主バスバ
１２  配線接続体
１２Ａ，３１２Ａ  第１配線接続体
１２Ｂ，３１２Ｂ  第２配線接続体
１７Ａ，１７Ｂ，３１３  バスバ間被接続体
２０，３２０  電気配線ブロック
２１ｂ，３２１ｂ  第１電気接続室
２１ｃ，３２１ｃ  第２電気接続室
３０，１３０，２３０，３３０  回路追加構造
３１，１４０，３４０Ａ、３４０Ｂ，３４０Ｃ，３４０Ｄ  副バスバ
３２，１３２，２３２，３３２  バスバ間接続構造
３３，３３３Ａ，３３３Ｂ，３３３Ｄ，３３４  追加電気接続室
３３Ａ，１３３  第１追加電気接続室
３３Ｂ，１３４  第２追加電気接続室
４０，２４０  第１副バスバ
４１，２４１  追加配線接続体
５０，２５０  第２副バスバ
５１，２５１  追加配線接続体
１４１  第１追加配線接続体
１４２  第２追加配線接続体
１６０，３６０  追加電気配線ブロック
３１２Ｃ  第３配線接続体
３２１ｄ  第３電気接続室
３４１Ａ，３４１Ｂ，３４１Ｄ，３５３  追加配線接続体
３７０Ａ，３７０Ｂ，３７０Ｃ，３７０Ｄ  副電気配線ブロック（追加電気配線ブロック）
Ｂ  電気接続箱
Ｂ０  筐体
ＥＰ  電気部品
ＥＰｘ  追加電気部品
Ｔ３  端子金具
Ｗｅ１  第１電線
Ｗｅ２  第２電線
Ｗｅ３  第３電線
ＷＨ  ワイヤハーネス
【図１】
2020114059.tif 000003
【図２】
2020114059.tif 000004
【図３】
2020114059.tif 000005
【図４】
2020114059.tif 000006
【図５】
2020114059.tif 000007
【図６】
2020114059.tif 000008
【図７】
2020114059.tif 000009
【図８】
2020114059.tif 000010
【図９】
2020114059.tif 000011
【図１０】
2020114059.tif 000012
【図１１】
2020114059.tif 000013
【図１２】
2020114059.tif 000014
【図１３】
2020114059.tif 000015
【図１４】
2020114059.tif 000016
【図１５】
2020114059.tif 000017
【図１６】
2020114059.tif 000018
【図１７】
2020114059.tif 000019
【図１８】
2020114059.tif 000020
【図１９】
2020114059.tif 000021
【図２０】
2020114059.tif 000022
【図２１】
2020114059.tif 000023
【図２２】
2020114059.tif 000024
【図２３】
2020114059.tif 000025
【図２４】
2020114059.tif 000026
【図２５】
2020114059.tif 000027
【図２６】
2020114059.tif 000028
【図２７】
2020114059.tif 000029
【図２８】
2020114059.tif 000030
【図２９】
2020114059.tif 000031
【図３０】
2020114059.tif 000032
【図３１】
2020114059.tif 000033
【図３２】
2020114059.tif 000034
【図３３】
2020114059.tif 000035
【図３４】
2020114059.tif 000036
【図３５】
2020114059.tif 000037
【図３６】
2020114059.tif 000038
【図３７】
2020114059.tif 000039
【図３８】
2020114059.tif 000040
【図３９】
2020114059.tif 000041
【図４０】
2020114059.tif 000042
【図４１】
2020114059.tif 000043
【図４２】
2020114059.tif 000044
【図４３】
2020114059.tif 000045
【図４４】
2020114059.tif 000046
【図４５】
2020114059.tif 000047
【図４６】
2020114059.tif 000048
【図４７】
2020114059.tif 000049
【図４８】
2020114059.tif 000050
【図４９】
2020114059.tif 000051
【図５０】
2020114059.tif 000052